(57)【特許請求の範囲】
【請求項１】
円柱状に形成され、その軸中心が回転軸の回転中心と同心に構成された本体部を有し、この本体部の外周面近くに、導体を収容するための軸方向に沿う溝が複数本、円周方向に等間隔で設けられた回転電機の回転子であって、
前記本体部に設けられた、前記複数本の溝の隣り合う溝間のティースに、前記軸方向に沿う応力緩和用の孔を、前記本体部の周方向については、前記隣り合う溝相互間の中間部に位置し、前記本体部の半径方向については、前記孔の半径をａ、前記回転中心から前記孔の中心までの距離をｒ、前記回転中心から前記溝底部までの距離をＲとしたとき、Ｒ−ａ＜ｒ＜Ｒ＋ａを満足するように位置決めした、
ことを特徴とする回転電機の回転子。
【請求項２】
円柱状に形成され、その軸中心が回転軸の回転中心と同心に構成された本体部を有し、この本体部の外周面近くに、導体を収容するための軸方向に沿う溝が複数本、円周方向に等間隔で設けられた回転電機の回転子であって、
前記本体部に設けられた、前記複数本の溝は、平行な溝幅間隔を有する部分と溝底部に向かうに従って溝幅間隔が縮小する部分からなり、これら複数本の溝の隣り合う溝間のティースに、前記軸方向に沿う応力緩和用の孔を、前記本体部の周方向については、前記隣り合う溝相互間の中間部に位置し、前記本体部の半径方向については、前記孔の半径をａ、前記回転中心から前記孔の中心までの距離をｒ、前記回転中心から前記溝底部までの距離をＲ１、同回転中心から前記溝の溝幅縮小部分の縮小開始点までの半径をＲ２としたとき、Ｒ１−ａ＜ｒ＜Ｒ２＋ａを満足するように位置決めした、
ことを特徴とする回転電機の回転子。
【請求項３】
前記本体部は、鋼板を前記軸方向に積層して形成されていることを特徴とする請求項１又は２に記載の回転電機の回転子。
【請求項４】
前記導体は、ダイキャストにより製造されているロータバーであることを特徴とする請求項１乃至請求項３のいずれかに記載の回転電機の回転子。
【請求項５】
前記応力緩和用の孔の両端は閉塞されていることを特徴とする請求項１乃至請求項４のいずれかに記載の回転電機の回転子。
【発明の詳細な説明】
【技術分野】
【０００１】
本発明の実施形態は、円柱状に形成され、その軸中心が、回転軸の回転中心と同心に構成された本体部の外周面近くに、導体を収容するための軸方向に沿う溝が複数本、円周方向に等間隔で設けられた回転電機の回転子に関する。
【背景技術】
【０００２】
回転電機の回転子として、円柱状に形成された本体部を、その軸中心が回転軸の回転中心と同心となるように一体的に構成し、その外周面近くに、導体を収容するための軸方向に沿う溝を複数本、円周方向に等間隔で設けたものがある（例えば、特許文献１参照）。
【０００３】
このような回転子では、回転電機の運転時、回転に伴って、本体部の外周近くに設けられた複数の溝の相互間の、磁路を形成するティースと呼ばれる部分に応力が生じる。この応力は、回転子の回転による遠心力に起因するフープ応力であり、回転速度が高くなるに連れて大きくなる。
【０００４】
このため、電動機などの回転電機を高速化するには、設計を大幅に変更するか、回転子の本体部を構成する抜き板を強度の高いものにする必要があった。
【０００５】
しかしながら、設計的にはほぼ限界であり、 抜き板強度を増やすと材料費が高騰する等、入手性が問題となる。
【先行技術文献】
【特許文献】
【０００６】
【特許文献１】特開２００９−２５４０１１号公報
【発明の概要】
【発明が解決しようとする課題】
【０００７】
このように回転電機の高速化は、ティースに生じるフープ応力により限界があり、この応力の緩和が望まれていた。
【０００８】
本発明が解決しようとする課題は、回転子本体部の磁路であるティース部分に生じるフープ応力を緩和し、高速回転化を可能とした応力に強い回転電機の回転子を提供することにある。
【課題を解決するための手段】
【０００９】
本発明の実施の形態に係る回転電機の回転子は、円柱状に形成され、その軸中心が回転軸の回転中心と同心に構成された本体部を有し、この本体部の外周面近くに、導体を収容するための軸方向に沿う溝が複数本、円周方向に等間隔で設けられた回転電機の回転子であって、前記本体部に設けられた、前記複数本の溝の隣り合う溝間のティースに、前記軸方向に沿う応力緩和用の孔を、前記本体部の周方向については、前記隣り合う溝相互間の中間部に位置し、前記本体部の半径方向については、前記孔の半径をａ、前記回転中心から前記孔の中心までの距離をｒ、前記回転中心から前記溝底部までの距離をＲとしたとき、Ｒ−ａ＜ｒ＜Ｒ＋ａを満足するように位置決めしたことを特徴とする。
【００１０】
上記構成によれば、遠心力による応力を緩和することができ、最高速度を上げられる。また、製作に当っては、抜き型を変えるだけでよいので、大幅な設計変更は不要である。
【図面の簡単な説明】
【００１１】
【図１】本発明の一実施の形態に係る回転電機の回転子の要部拡大図である。
【図２】図１で示した回転電機の回転子の全体構造を示す横断面図である。
【図３】回転に伴ってティース部分に作用する力の方向を示す図である。
【図４】応力集中状態を説明する図である。
【図５】応力緩和状態を説明する図である。
【図６】ティース部分に応力緩和孔を設けない場合の応力集中状態を示す図である。
【図７】ティース部分に応力緩和孔を設けた場合の応力緩和状態を示す図である。
【図８】溝及び収容される導体の断面形状の変形例を示す図である。
【図９】溝及び収容される導体の断面形状の他の変形例を示す図である。
【図１０】本発明の他の実施の形態に係る回転電機の回転子の要部拡大図である。
【図１１】本発明のさらに他の実施の形態に係る回転電機の回転子の要部拡大図である。
【図１２】本発明の実施の形態に用いられる応力緩和孔の他の形状例を示す図である。
【図１３】本発明の実施の形態に用いられる応力緩和孔のさらに他の形状例を示す図である。
【発明を実施するための形態】
【００１２】
以下、本発明の実施の形態について、図面を参照して詳細に説明する。
【００１３】
先ず、図２によりこの実施の形態に係る回転子の全体構造を説明する。図２は回転子１０の横断面を示しており、円柱状に形成された本体部１１を有する。この本体部１１は、鋼板を軸方向に積層して形成されており、その軸中心が回転軸１２の回転中心と同心になるように、回転軸１２に対して一体的に構成されている。また、この本体部１１の外周面近くには、軸方向（紙面と直交する方向）に沿う溝（スロット）１３を複数本、円周方向に等間隔で設けている。この溝１３内には導体１４が収容される。導体１４は、この回転子１０が適用される回転電機が誘導機の場合はロータバーとなり、同期機の場合は界磁コイルもしくはダンパーバーとなる。
【００１４】
次に、図１により回転子１０の本体部１１に設けられた溝１３部分の構造を拡大して説明する。本体部１１に設けられた複数本の溝１３の隣り合う溝１３間の部分２１は磁路となる部分で、ティースと呼ばれる。この実施の形態では、このティース２１に、応力緩和用の孔２２を軸方向に沿って設ける。
【００１５】
この応力緩和用の孔２２が設けられる位置は、本体部１１の周方向については、孔２２の中心が、隣り合う溝１３相互間の中間部とする。また、本体部１２の半径方向については、孔２２の半径をａ、本体部１１の回転中心から孔２２の中心までの距離をｒ、同じく本体部１１の回転中心から溝１３の底部までの距離をＲとしたとき、Ｒ−ａ＜ｒ＜Ｒ＋ａを満足する範囲に、孔２２の中心が位置するように設定する。
【００１６】
通常、外周近くに溝１３を設けた回転子１０の本体部１１が回転すると、溝１３間のティース２１部分には、図３で示すように、横方向に拡大しようとする力Ｆ１と外方に伸びようとする力Ｆ２が加わる。これらの力Ｆ１，Ｆ２によりティース２１には、図６で示すように、線Ｓ１で示す応力が集中する。すなわち、ティース２１の図示下部に応力が集中するので、回転子１０の回転速度が高速になると、構造的に弱い溝１３内の底辺角部１３ａに応力が集中し、この部分が損傷するおそれがある。したがって、回転電機の高速化に限界が生じる。このことは、言い換えると、ティース２１の図示下部における応力の集中を緩和すれば、同じ材質の本体部１１であっても、より高速化が可能となることを意味する。
【００１７】
そこで、この実施の形態では、図１で示したように、ティース２１の図示下部に、前述した位置関係で応力緩和用の孔（以下、応力緩和孔と呼ぶ）２２を設けた。
【００１８】
一般に、図４で示すように、板材３１に丸孔３２を開け、この板材３１を矢印Ｆ１１で示すように左右に引張した場合、板材３１には線Ｓ１１で示す応力が生じ、丸孔３２の図示上下部に集中する。これに対し、図５で示すように、同じ板材３１に比較的小径の丸孔３３を２個開け、同じくこの板材３１を矢印Ｆ１１で示すように左右に引張した場合、板材３１に生じる応力は線Ｓ２１で示すように、２個の丸孔３３に沿って分散され、緩和されることが当業者において知られている。
【００１９】
この実施の形態では、上述した応力緩和作用を用いたものであり、前述したＲ−ａ＜ｒ＜Ｒ＋ａを満足する位置関係で、応力緩和孔２２をティース２１の図示下部に設けたことにより、図７において線Ｓ２で示すように、応力は分散され、緩和される。その結果、同じ材質の本体部１１であっても、これまで以上に回転速度を高速化することが可能となった。
【００２０】
なお、応力緩和孔２２の軸方向両端部を開放しておけば、回転電機としての運転時に、この孔２２を通って回転子本体部１１の軸方向に通風されるので、冷却効果を上げる機能も生じる。しかし、本来の目的である応力緩和機能上は、必ずしも両端を開放しておく必要はなく、閉塞しても構わない。誘導機の場合、溝１３内の導体１４としてロータバーが設けられるが、このロータバーはダイキャストにより製造されるものがあり、このようにダイキャスト製の場合は、むしろ塞いだ方がよい。
【００２１】
また、導体１４、及びそれを収容する溝１３の横断面形状も矩形に限らない。例えば、図８で示す横断面が台形のものや、図９で示すように横断面が逆台形状のものなどでもよい。これら図８、図９の場合も、孔２２の位置は前述したＲ−ａ＜ｒ＜Ｒ＋ａを満足する位置関係に設定する。但し、孔２２の大きさは、この孔２２が設けられるティース２１の図示横幅寸法に応じて図示のように適宜調整する。
【００２２】
さらに、溝形状の例としては。図１０，図１１で示すような形状の溝１３でもよい。すなわち、複数本の溝１３は、平行な溝幅間隔を有する部分と溝底部に向かうに従って溝幅間隔が縮小する部分から形状とする。溝幅が縮小する形状としては、図１０で示す直線的なテーパ形状や、図１１で示す円弧形状とする。軸方向に沿う応力緩和孔２２は、これら複数本の溝１３の、隣り合う溝間のティース２１に設けるが、その位置関係は次のように定める。すなわち、応力緩和孔２２は、本体部１１の周方向については、隣り合う溝１３相互間の中間部に位置させる。また、本体部１１の半径方向については、図１と同様に、応力緩和孔２２の半径をａ、本体部１１の回転中心から応力緩和孔２２の中心までの距離をｒとした場合、本体部１１の回転中心から溝１３底部までの距離をＲ１、同回転中心から溝１３の溝幅縮小部分の縮小開始点までの半径をＲ２として、Ｒ１−ａ＜ｒ＜Ｒ２＋ａを満足するように位置決めする。
【００２３】
このように溝１３の形状を、平行な溝幅間隔を有する部分と溝底部に向かうに従って溝幅間隔が縮小する部分から形状としても、上述したＲ１−ａ＜ｒ＜Ｒ２＋ａを満足する位置関係で、応力緩和孔２２をティース２１の図示下部に設ければ、応力は分散され、緩和される。その結果、同じ材質の本体部１１であっても、これまで以上に回転速度を高速化することが可能となった。
【００２４】
さらに応力緩和孔２２の横断面形状は丸に限定されず、図１２で示す長丸形や図１３に示すおにぎり形等でもよい。このような横断面形状の応力緩和孔２２は、もちろん図８乃至図１１で示す形状の溝１３間のティース２１に設けても、同等の作用効果を奏する。
【００２５】
ここで、従来技術においても、電気的には永久磁石モータでは、鉄損を減らすために磁石周辺に孔を空ける構造は見られるが、この実施の形態のように、磁路であるティースの中央に孔を設けて応力を緩和する構成は見られない。また、応力的には外径部分に切り欠きや、へこみ等を設ける場合はあるが、この実施の形態のように内径側に加工を施すものは見られない。さらに、冷却的には発熱体の周りに冷却孔を設けることはあるが、磁路中央に孔はあけない。
【００２６】
このように、この実施の形態における応力緩和孔２２を前述した位置関係で設けることは、いずれの従来技術とも異なるものである。
【００２７】
この実施の形態によれば、回転電機の回転子のティースの下部中央部分に応力緩和用の孔２２を設けたので、遠心力による応力を緩和することができ、回転電機としての最高速度を上げることができる。また、孔２２の形成に当っては、抜き型を変えるだけでよいので、大幅な設計変更は不要である。
【００２８】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２９】
１０・・・回転子
１１・・・本体部
１２・・・回転軸
１３・・・溝
１４・・・導体
２１・・・ティース
２２・・・応力緩和用の孔
【図１】
0005992898.tif 000002
【図２】
0005992898.tif 000003
【図３】
0005992898.tif 000004
【図４】
0005992898.tif 000005
【図５】
0005992898.tif 000006
【図６】
0005992898.tif 000007
【図７】
0005992898.tif 000008
【図８】
0005992898.tif 000009
【図９】
0005992898.tif 000010
【図１０】
0005992898.tif 000011
【図１１】
0005992898.tif 000012
【図１２】
0005992898.tif 000013
【図１３】
0005992898.tif 000014